(57)【要約】  【課題】  キャビネット１１の上部をキャビネット１１とほぼ同じ大きさの蓋体１２で開閉自在に覆うようにしたポータブルＣＤプレーヤにおいて、蓋体１２に設けられた解放釦によって片手操作で蓋体１２を解放できるようにする。  【解決手段】  蓋体１２に解放釦３０を取付けるようにし、この解放釦３０に連設されたロックレバー３１を支軸３３によって回動自在に支持し、しかも支軸３３に装着された圧縮コイルばね３４によって蓋体１２の側壁との間に摩擦係合力を発生させ、この摩擦係合力によってロックレバー３１を解放釦３０が押された状態で維持するとともに、蓋体１２の解放動作の際に所定の角度まで蓋体１２が解放されると、この後装着面１４の切欠き３７の当接部３８にロックレバー３１の山形突部３６が当接し、これによってロックレバー３１が元の状態に復帰するようにしたものである。【選択図】  図７
2006073139.tif 000002
【特許請求の範囲】
【請求項１】
キャビネットの上部を開閉自在な蓋体で覆うようにした装置において、
前記蓋体の上面に設けられ、この蓋体を解放操作する解放釦と、
前記解放釦を押して指を離した後も前記解放釦またはロック機構がそのままの状態を維持する維持手段と、
前記蓋体が所定の状態まで開かれると、前記維持手段による維持を解除する解除手段と、
を具備する蓋体の開閉装置。
【請求項２】
キャビネットの上部にディスク装着部が設けられ、該ディスク装着部にディスク状記録媒体が装着されて回転駆動するようになされ、しかも該ディスク装着部を覆うように開閉自在な蓋体が取付けられることを特徴とする請求項１に記載の蓋体の開閉装置。
【請求項３】
前記キャビネットの大きさが前記ディスク状記録媒体の大きさとほぼ同じであることを特徴とする請求項２に記載の蓋体の開閉装置。
【請求項４】
前記蓋体の大きさが前記キャビネットの大きさとほぼ同じであることを特徴とする請求項２に記載の蓋体の開閉装置。
【請求項５】
前記維持手段が圧縮コイルばねの付勢力によるロックレバーの摩擦係合機構であることを特徴とする請求項１に記載の蓋体の開閉装置。
【請求項６】
前記解除手段が前記キャビネットに設けられた当接部であって、前記蓋体が所定の角度開放されると前記ロックレバーが当接して該ロックレバーを元の位置に強制的に復帰させることを特徴とする請求項５に記載の蓋体の開閉装置。
【請求項７】
前記キャビネット内に摺動自在にロック用スライダが配され、前記蓋体が閉じられて前記ロックレバーが前記ロック用スライダと係合されると前記蓋体がロックされることを特徴とする請求項５に記載の蓋体の開閉装置。
【請求項８】
キャビネットの上部を開閉自在な蓋体で覆うようにした装置において、
前記蓋体の上面に設けられ、この蓋体を解放操作する解放釦と、
前記解放釦を押して指を離した後も前記解放釦またはロック機構がそのままの状態を維持する維持手段と、
前記蓋体が所定の状態まで開かれると、前記維持手段による維持を解除する解除手段と、
を具備し、前記蓋体が開放された状態で前記解放釦が操作されて前記維持手段によってその状態が維持され、そのまま前記蓋体が閉じられると前記解除手段が前記維持状態を解除することを特徴とする蓋体の開閉装置。
【発明の詳細な説明】
【技術分野】
【０００１】
本発明は蓋体の開閉装置に係り、とくにキャビネットの上部を開閉自在な蓋体で覆うようにした装置における蓋体の開閉装置に関する。
【背景技術】
【０００２】
ＣＤ（Ｃｏｍｐａｃｔ  ｄｉｓｃ）によって音楽を再生するポータブル式のＣＤプレーヤが広く用いれている。図９および図１０は従来のこの種のＣＤプレーヤを示しており、ＣＤプレーヤはその外筐が偏平な皿状をなすキャビネット１と、上記キャビネット１の上面を覆う偏平な蓋体２とから構成されている。蓋体２上には操作釦３が設けられ、これらの操作釦３の操作によって、内部に装着されたＣＤの再生を行なうことが可能になる。またＣＤを挿入したり取出したりするためにキャビネット１の外側面にとくに図１０に示すように、解放操作釦４が取付けられており、この操作釦４を図中右方に摺動操作させることによって、蓋体２のロックが解除され、蓋体２がヒンジに内蔵されるばねによって該ヒンジを中心として回動して開かれるようになっている。
【０００３】
このように従来のＣＤプレーヤは、蓋体２の開閉機構をこの蓋体２側には配置せず、反対側のキャビネット１の側面に解放操作つまみ４を配置している。従って携帯時のみならずデスクトップ上での使用時においても、蓋体２の開閉操作は両手操作を必要とする。すなわち片方の手でキャビネット１を固定し、もう一方の手で開閉操作釦４を摺動操作しなければならない。
【０００４】
デスクトップでの使用を考えた場合には、このプレーヤを机上に置いた状態で片手の指で蓋体２の開閉操作を行なうことが望ましいが、全体の重量が比較的小さいために、上から押すタイプの釦を設けない限りは、このプレーヤが全体として動いてしまうことになる。
【０００５】
また最近のディスクプレーヤは、その蓋体２の大きさが、キャビネット１の上面から見た投影面積とほぼ同じ大きさのものが多く、このために上方から操作するタイプの解放操作釦４を設ける場合には、この解放操作釦４を蓋体２上に配置する他ない。ところが解放操作釦４を蓋体２に装着して押すようにすると、逆に蓋体２の解放を妨げる動作になるために、蓋体２を開くことができない。
【０００６】
なお特開２００３−７０４３号公報には、ディスクを回転駆動し情報を再生するピックアップモジュールと、外郭を構成するキャビネットと、操作ボタンを配置した上蓋と、操作ボタンの押下を検出するオープンスイッチと、上蓋の開閉状態を検出するオープン検出スイッチと、上蓋の解放制御を行なう制御手段とを有し、上蓋の解放制御を行なうにあたり、オープン検出スイッチによる上蓋閉鎖を検出してから所定時間を経過した後に解放制御を行なうようにしたディスクドライブ装置が開示されている。
【０００７】
このような構成によると、上蓋上に配された操作釦の操作によって、この上蓋を解放操作することが可能になるものの、電磁的なロック手段と、このような電磁的なロック手段を制御するためのＣＰＵを含むコントローラを必要とし、さらにこのコントローラを所定のプログラムで動作させなければならず、これによって装置が高価になる欠点がある。
【特許文献１】特開２００３−７０４３号公報
【特許文献２】特開２０００−１８２３０７号公報
【特許文献３】特開平１１−１４４４４５号公報
【特許文献４】特開平３−１６０６８２号公報
【発明の開示】
【発明が解決しようとする課題】
【０００８】
本願発明の課題は、片手操作のみによって蓋体を解放することができるようにした蓋体の開閉装置を提供することである。
【０００９】
本願発明の別の課題は、解放釦を蓋体上に設け、しかも蓋体を解放できるようにした蓋体の開閉装置を提供することである。
【００１０】
本願発明のさらに別の課題は、デスクトップ上での使用時においても、片手操作によって蓋体の開閉を行ない得るようにした開閉装置を提供することである。
【００１１】
本願発明のさらに別の課題は、全体の重量が小さくても、なおかつ片手操作によって蓋体の解放を行ない得るようにした蓋体の開閉装置を提供することである。
【００１２】
本願発明のさらに別の課題は、蓋体の大きさが本体の大きさとほぼ同じ装置において、蓋体側に解放釦を設け、この解放釦の操作によって蓋体を解放できるようにした蓋体の開閉装置を提供することである。
【００１３】
本願発明の上記の課題および別の課題は、以下に述べる本願発明の技術的思想およびその実施の形態によって明らかにされよう。
【課題を解決するための手段】
【００１４】
本願の主要な発明は、キャビネットの上部を開閉自在な蓋体で覆うようにした装置において、
前記蓋体の上面に設けられ、この蓋体を解放操作する解放釦と、
前記解放釦を押して指を離した後も前記解放釦またはロック機構がそのままの状態を維持する維持手段と、
前記蓋体が所定の状態まで開かれると、前記維持手段による維持を解除する解除手段と、
を具備する蓋体の開閉装置に関するものである。
【００１５】
ここでキャビネットの上部にディスク装着部が設けられ、該ディスク装着部にディスク状記録媒体が装着されて回転駆動するようになされ、しかも該ディスク装着部を覆うように開閉自在な蓋体が取付けられてよい。また前記キャビネットの大きさが前記ディスク状記録媒体の大きさとほぼ同じであってよい。また前記蓋体の大きさが前記キャビネットの大きさとほぼ同じであってよい。また前記維持手段が圧縮コイルばねの付勢力によるロックレバーの摩擦係合機構であってよい。また前記解除手段が前記キャビネットに設けられた当接部であって、前記蓋体が所定の角度開放されると前記ロックレバーが当接して該ロックレバーを元の位置に強制的に復帰させてよい。また前記キャビネット内に摺動自在にロック用スライダが配され、前記蓋体が閉じられて前記ロックレバーが前記ロック用スライダと係合されると前記蓋体がロックされてよい。
【００１６】
本願のさらに別の主要な発明は、キャビネットの上部を開閉自在な蓋体で覆うようにした装置において、
前記蓋体の上面に設けられ、この蓋体を解放操作する解放釦と、
前記解放釦を押して指を離した後も前記解放釦またはロック機構がそのままの状態を維持する維持手段と、
前記蓋体が所定の状態まで開かれると、前記維持手段による維持を解除する解除手段と、
を具備し、前記蓋体が開放された状態で前記解放釦が操作されて前記維持手段によってその状態が維持され、そのまま前記蓋体が閉じられると前記解除手段が前記維持状態を解除することを特徴とする蓋体の開閉装置に関するものである。  本願発明の好ましい態様は、ポータブルタイプのＣＤプレーヤの蓋体にこの蓋体を解放するための解放釦を配置し、解放釦を押した後も解放釦が押された状態を保持し、蓋体が開き始めてから解放釦が復帰するようにした蓋体の開閉機構に関する。ここで蓋体が開いた状態で解放釦が押されると、その状態で蓋体が閉じられても、その途中で解放釦が復帰するようになっている。
【００１７】
このような構成によれば、ポータブルＣＤプレーヤを据え置き状態、すなわちデスクトップ状態で使用する場合に、解放釦に対する片手操作で蓋体の開閉が可能になる。また上面から見たときのキャビネット全体の投影面積と同じ投影面積の蓋体のプレーヤにおいても、上記の操作が可能になる。
【発明の効果】
【００１８】
本願の主要な発明は、キャビネットの上部を開閉自在な蓋体で覆うようにした装置において、蓋体の上面に設けられ、この蓋体を解放操作する解放釦と、解放釦を押して指を離した後も解放釦またはロック機構がそのままの状態を維持する維持手段と、蓋体が所定の状態まで開かれると、維持手段による維持を解除する解除手段と、を具備するものである。
【００１９】
従ってこのような蓋体の開閉装置によれば、蓋体に設けられている解放釦を操作することによってその後指を離した後も、解放釦またはロック機構がそのままの状態を維持するようになり、これによって蓋体が解放動作を行なうことになる。従って蓋体上に設けられた解放釦の片手による操作のみによって開閉可能な蓋体の開閉装置を提供できるようになる。
【００２０】
本願の別の主要な発明は、キャビネットの上部を開閉自在な蓋体で覆うようにした装置において、蓋体の上面に設けられ、この蓋体を解放操作する解放釦と、解放釦を押して指を離した後も解放釦またはロック機構がそのままの状態を維持する維持手段と、蓋体が所定の状態まで開かれると、維持手段による維持を解除する解除手段と、を具備し、蓋体が開放された状態で解放釦が操作されて維持手段によってその状態が維持され、そのまま蓋体が閉じられると解除手段が維持状態を解除するようにしたものである。
【００２１】
従ってこのような蓋体の開閉装置によれば、蓋体に設けられた解放釦の操作によって蓋体を解放することができるばかりでなく、解放釦が操作されてその状態が維持されたままで蓋体が閉じられたときに、解除手段が維持状態を解除するために、蓋体が閉じられると正しくロック動作が行なわれることになり、蓋体のロック不良が回避される。
【発明を実施するための最良の形態】
【００２２】
以下本願発明を図示の実施の形態によって説明する。本実施の形態はＣＤプレーヤに関するものであって、図１および図２に示すように、その外筐が偏平な皿状をなすキャビネット１１と、このキャビネット１１の上部に開閉自在に取付けられた蓋体１２とから構成されている。すなわち蓋体１２は図３および図４に示すようにヒンジ１３によってキャビネット１１の背面側の部分に開閉自在に取付けられている。
【００２３】
上記蓋体１２が開かれたときに露出される装着面１４は上面板によって構成され、しかもこの装着面１４には異形の凹部１５が形成され、この凹部１５にピックアップユニット１６が取付けられる。ピックアップユニット１６は後述する光ディスクの半径方向に移動可能なピックアップ１７を備えている。またピックアップユニット１６はキャビネット１１のほぼ中心部と対応する位置にセンタチャック１８を備えており、内蔵されているスピンドルモータによって回転駆動されるようになっている。さらに装着面１４には電池収納部１９が形成され、この電池収納部１９を電池蓋２０で開閉自在に覆うようにしている。
【００２４】
図４はこのようなＣＤプレーヤの装着面１４に光ディスク（ＣＤ）２２を装着する状態を示しており、光ディスク２２の中心孔２３をセンタチャック１８に係合させるようにしている。従ってこのような状態で光ディスク２２を上記センタチャック１８を介してスピンドルモータで回転駆動させるとともに、凹部１５に組込まれたピックアップユニット１６のピックアップ１７を光ディスク２２の下面に沿ってその半径方向に移動させることによって、この光ディスク２２に書込まれた情報を再生できるようになる。
【００２５】
なおこのようなＣＤ２２の再生操作にために、蓋体１２上には図１に示すように、表示部２５と操作釦２６とが設けられ、光ディスク２２による再生の状態を表示し、あるいはまた再生のモードの選択を行ない得るようにしている。
【００２６】
このようなＣＤプレーヤの特徴は、ほぼ円形をなし、キャビネット１１の上面を覆う蓋体１２に図５および図６に示すように解放釦３０を取付けるようにし、この解放釦３０を上方から片手の指で操作することによって、蓋体１２の開閉を可能にしたことである。解放釦３０は図６および図７に示すように、一体にロックレバー３１を備えるとともに、このロックレバー３１の基端側に貫通孔から成る支持孔３２を形成し、この支持孔３２を支軸３３が挿通されるようになっている。そして支軸３３に取付けられた圧縮コイルばね３４を圧縮することによって、ロックレバー３１の側端を蓋体１２の内壁の部分に圧着し、これによって摩擦係合力を得るようにしている。すなわち圧縮コイルばね３４による圧縮に伴う摩擦係合機構が、このロックレバー３１の維持手段を構成している。
【００２７】
ロックレバー３１はその先端側に係合爪３５を備えるとともに、背面側には山形突部３６が形成されている。そしてロックレバー３１は蓋体１２が閉じられたときに、装着面１４に形成された切欠き３７内に挿入されるようになっている。そしてロックレバー３１の背面側の山形突部３６が切欠き３７の一方の側端面を構成する当接部３８に当接することによって、摩擦係合による維持手段の動作を解除するようにしている。
【００２８】
キャビネット１１の底部側であって上記ロックレバー３１の先端側の係合爪３５と対応する位置には、図８に示すように、ロック用スライダ４２が摺動可能に保持されている。ロック用スライダ４２は一対のピン４３、４４によって摺動可能に支持されるとともに、このロック用スライダ４２に上方に突出して設けられた突部４５と一方のピン４４の上部との間に係止された引張りコイルばね４６によってロック用スライダ４２は図８において右方に摺動付勢されており、そのロック部５７がロックレバー３１の係合爪３５と係合し、これによって蓋体１２を閉じた状態でロックするようにしている。
【００２９】
このように本実施の形態のＣＤプレーヤは、解放釦３０が蓋体１２の上面に臨んで設けられるとともに、一体のロックレバー３１を備えている。そしてロックレバー３１は支軸３３を中心として回動可能であって、支軸３３に装着された圧縮コイルばね３４による付勢力で蓋体１２の内壁面に対して圧着され、半固定状態になっている。このような半固定状態にする機構が維持手段を構成している。また本体キャビネット１１の内部のロック用スライダ４２は、図８に示すピン４３、４４によって左右の方向に摺動可能であって、引張りコイルばね４６によって図８で右方に摺動付勢されている。
【００３０】
このような構成において、蓋体１２の上部から解放釦３０を片手の指で押すと、これによって解放釦３０に一体に設けられているロックレバー３１が図７において点線で示すように支軸３３を中心として時計方向に回動し、このロックレバー３１の先端側の係合爪３５とロック用スライダ４２のロック部４７との係合が外れる。しかもこのような状態で、ロックレバー３１は上記圧縮コイルばね３４の摩擦係合力によって、解放釦３０から指を離してその押圧力を解除しても、図７における点線の回動位置の状態を保ち続ける。そして蓋体１２はヒンジ１３の部分に設けられているねじりコイルばねによって解放する方向に付勢されているために、蓋体１２が解放動作をする。
【００３１】
蓋体１２が所定の角度開放されると、キャビネット１１の装着面１４を構成する上面板の切欠き３７の一方の当接部３８にロックレバー３１の山形突部３６が図７において２点鎖線で示すように当接する。これによってロックレバー３１は圧縮コイルばね３４による摩擦係合力に打勝って元の回動位置、すなわちロック可能位置に復帰することになる。
【００３２】
逆に蓋体１２を閉じる場合には、ヒンジ１３のところに取付けられているねじりコイルばねに抗して、この蓋体１２を指あるいは手で閉じる方向に回動させる。すると解放釦３０に連設されているロックレバー３１の山形突部３６が装着面１４を構成する上面板の切欠き３７の前方を通過する際に、この当接部３８にロックレバー３１の山形突部３６が当接し、これによってロックレバー３１が確実に戻される。すなわちロックレバー３１はロック用スライダ４２に噛合わない状態で閉じられても、蓋体１２の閉鎖動作に連動して確実にロック用スライダ４２のロック部４７と係合する位置に復帰される。
【００３３】
従って蓋体１２を完全に復帰させると、このロックレバー３１の係合爪３５がロック用スライダ４２のロック部４７を図８において左方で押し、その後にこのロック部４７の下側に係合爪３５が入込む。そしてロック用スライダ４２は引張りコイルばね４６の力で元の位置、すなわち図８に示す位置に復帰するために、このロックレバー３１の係合爪３５とロック用スライダ４２のロック部４７との係合動作によって、蓋体１２がロックされるようになる。
【００３４】
以上本願発明を図示の実施の形態によって説明したが、本願発明は上記実施の形態によって限定されることなく、本願に含まれる発明技術的思想の範囲内で各種の変更が可能である。例えば上記実施の形態は、ＣＤから成る光ディスクのポータブルタイプのプレーヤに関するものであるが、本願発明はその他各種の電子機器であって、上部の蓋体をその蓋体に設けられた解放釦によって解放できるようにした装置に広く適用可能である。
【産業上の利用可能性】
【００３５】
本願発明は、コンパクトディスク等の光ディスクを用いるポータブルタイプのディスクプレーヤに広く利用可能である。
【図面の簡単な説明】
【００３６】
【図１】ポータブルＣＤプレーヤの平面図である。
【図２】同プレーヤの側面図である。
【図３】同プレーヤの蓋体を開いた状態の外観斜視図である。
【図４】同プレーヤのＣＤを装着した状態の斜視図である。
【図５】解放釦の配置を示す要部拡大平面図（Ａ）、側断面図（Ｂ）、および正断面図（Ｃ）である。
【図６】解放釦の配置を示す要部平面図である。
【図７】ロックレバーによるロックの機構を示す要部側面図である。
【図８】同要部拡大縦断面図である。
【図９】従来のＣＤプレーヤの平面図である。
【図１０】同ＣＤプレーヤの側面図である。
【符号の説明】
【００３７】
１‥‥キャビネット、２‥‥蓋体、３‥‥操作釦、４‥‥解放操作釦、１１‥‥キャビネット、１２‥‥蓋体、１３‥‥ヒンジ、１４‥‥装着面（上面板）、１５‥‥凹部、１６‥‥ピックアップユニット、１７‥‥ピックアップ、１８‥‥センタチャック、１９‥‥電池収納部、２０‥‥電池蓋、２２‥‥光ディスク（ＣＤ）、２３‥‥中心孔、２５‥‥表示部、２６‥‥操作釦、３０‥‥解放釦、３１‥‥ロックレバー、３２‥‥支持孔、３３‥‥支軸、３４‥‥圧縮コイルばね、３５‥‥係合爪、３６‥‥山形突部、３７‥‥切欠き、３８‥‥当接部、４２‥‥ロック用スライダ、４３、４４‥‥ピン、４５‥‥突部、４６‥‥引張りコイルばね、４７‥‥ロック部
【図１】
2006073139.tif 000003
【図２】
2006073139.tif 000004
【図３】
2006073139.tif 000005
【図４】
2006073139.tif 000006
【図５】
2006073139.tif 000007
【図６】
2006073139.tif 000008
【図７】
2006073139.tif 000009
【図８】
2006073139.tif 000010
【図９】
2006073139.tif 000011
【図１０】
2006073139.tif 000012